(57)【要約】【課題】光源の点灯状態のような高温状態においても、さらには周囲の環境温度が変化したような場合であっても、光源と、導光板との間の位置ずれが少なくなり、結果として、表示ムラが少ない液晶装置、そのような液晶装置に適した照明装置、及びそのような液晶装置を備えた電子機器を提供する。【解決手段】液晶パネルと、当該液晶パネルに対して入射させる光を出射する光源と、当該光源に対向配置され、当該光源から出射された光を所定箇所に導くための導光板と、当該導光板の下方に、接着部材を介して配置された反射シートと、を備えた液晶装置、そのような液晶装置に適した照明装置、及びそのような液晶装置を備えた電子機器であって、所定温度における反射シートの熱膨張率の値と、接着部材の熱膨張率の値と、を実質的に等しくする。【選択図】図１
2008009038.tif 000002
【特許請求の範囲】
【請求項１】
液晶パネルと、当該液晶パネルに対して入射させる光を出射する光源と、当該光源に対向配置され、当該光源から出射された光を所定箇所に導くための導光板と、当該導光板の下方に、接着部材を介して配置された反射シートと、を備えた液晶装置であって、
前記反射シートの熱膨張率の値と、前記接着部材の熱膨張率の値と、を実質的に等しくすることを特徴とする液晶装置。
【請求項２】
温度５０〜１００℃において、前記反射シートの熱膨張率の値と、接着部材の熱膨張率の値との差を、５×１０-5／℃以下の値とすることを特徴とする請求項１に記載の液晶装置。
【請求項３】
前記接着部材が、反射シート側から、第１の接着剤層と、樹脂フィルム層と、第２の接着剤層と、を含む積層構造の両面粘着テープであることを特徴とする請求項１または２に記載の液晶装置。
【請求項４】
前記接着部材の厚さを５〜１００μｍの範囲内の値とすることを特徴とする請求項１〜３のいずれか一項に記載の液晶装置。
【請求項５】
前記液晶装置は、少なくとも前記導光板及び前記反射シートを収容する筐体をさらに有しており、
前記接着部材が、前記反射シート導光板の周囲の少なくとも２辺に沿ってライン状に配置されるとともに、前記反射シートと、前記導光板あるいは前記筐体とを接着していることを特徴とする請求項１〜４のいずれか一項に記載の液晶装置。
【請求項６】
前記接着部材が、接着剤と、熱膨張率を調整するための無機フィラーと、を含むことを特徴とする請求項１〜５のいずれか一項に記載の液晶装置。
【請求項７】
光を出射する光源と、当該光源に対向配置され、当該光源から出射された光を所定箇所に導くための導光板と、当該導光板の下方に、接着部材を介して配置された反射シートと、を備えた照明装置であって、
前記反射シートの熱膨張率の値と、前記接着部材の熱膨張率の値と、を実質的に等しくすることを特徴とする照明装置。
【請求項８】
液晶パネルと、当該液晶パネルに対して入射させる光を出射する光源と、当該光源に対向配置され、当該光源から出射された光を所定箇所に導くための導光板と、当該導光板の下方に、接着部材を介して配置された反射シートと、を備えた液晶装置を含む電子機器であって、
前記反射シートの熱膨張率の値と、前記接着部材の熱膨張率の値と、を実質的に等しくすることを特徴とする電子機器。
【発明の詳細な説明】
【技術分野】
【０００１】
本発明は、液晶装置、照明装置及び電子機器に関し、特に、光源の点灯時のような高温状態においても、表示ムラが少ない液晶装置及びそのような液晶装置に適した照明装置、及びそのような液晶装置を備えた電子機器に関する。
【背景技術】
【０００２】
従来、画像を表示する電気光学装置の一態様として、それぞれ電極が形成された一対の基板を対向配置するとともに、それぞれの電極の交差領域である複数の画素に印加する電圧を選択的にオン、オフさせることによって、当該画素の液晶材料を通過する光を変調させ、絵や文字等の画像を表示させる液晶装置がある。
かかる液晶装置において、薄型化や小型化を図る等の目的から、フレキシブル回路基板（ＦＰＣ基板）上にＬＥＤ等の光源を実装するとともに、光源を、下方に反射シートを備えた導光板のエッジ部に配置して、当該反射シートを備えた導光板によって、光源から出射される光を、液晶パネルに導くように構成された照明装置が用いられている。
【０００３】
そして、このような照明装置を備えた液晶装置として、反射シートの移動を防止しつつ、より薄型化が可能な液晶装置が提案されている（特許文献１参照）。
より具体的には、図１３に示すような液晶装置３００において、液晶表示パネル３０２の裏面側に、所定のバックライト３２１を対向させて配置してある。すなわち、このバックライト３２１を、光源３２２と、導光板３２６と、反射シート３３３と、から構成してある。そして、このバックライト３２１をフレーム３４１に保持してあるとともに、フレーム３４１の下端側に設けた支持片部３４７の上端側に、固定シート３３４を設けて、その下端側が当接するように配置してある。
よって、このような液晶装置３００の構成であれば、バックライト３２１における導光板３２６と、反射シート３３３と、を両面テープ等によって、貼り付ける必要がなくなり、薄型化が可能となるばかりか、フレーム３４１に設けた支持片部３４７への固定シート３３４の当接によって、反射シート３３３の移動を規制することができる。
【０００４】
また、このような液晶表示装置において、光源と、導光板と、反射シートと、フィルム部材と、から構成されたバックライトユニットにおいて、フィルム部材を、十分な強度で固定する方法が提案されている（特許文献２参照）。
すなわち、図１４に示すように、枠状の反射ケース４０３に、外縁部が載置された状態において、フィルム部材４０２が、枠状の遮光両面テープ４０１により固定されたバックライトユニット４００である。そして、遮光両面テープ４０１に、フィルム部材４０２の外縁部と、枠状の反射ケース４０３の双方と、を接着するとともに、少なくともその一辺において枠状の反射ケース４０３の外側面まで延在して接着される延在部４０１ｂを設けたバックライトユニット４００である。
【特許文献１】特開２００５−８５５８４号（特許請求の範囲、図１）
【特許文献２】特開２００５−２４３５７２号（特許請求の範囲、図１）
【発明の開示】
【発明が解決しようとする課題】
【０００５】
しかしながら、特許文献１に記載された液晶装置３００においては、両面テープが省略されていることから、反射シート３３３の固定性が不十分になって、少なくとも光源３２２の点灯状態のような高温状態において、導光板３２６と、反射シート３３３とがずれやすく、表示ムラが大きくなるという問題が見られた。また、フレーム３４１に、新たに支持片部３４７を設けなければならず、製造コストが高くなったり、逆に、薄型化が困難となったりするという問題が見られた。
一方、特許文献２に記載されたバックライトユニット４００においては、反射シート４０５の熱膨張率と、それを導光板４０４に固定するための接着部材の熱膨張率との関係を何ら考慮していないことより、光源の点灯状態のような高温状態において、表示ムラが大きくなるという問題が見られた。
特に、いずれの特許文献に記載された液晶装置やバックライトユニットを備えた電子機器において、周囲の環境温度が高くなると、光源温度の影響がさらに大きくなって、表示ムラが大きくなるという問題が見られた。
【０００６】
そこで、本発明の発明者らは鋭意努力し、導光板と、反射シートとを、接着部材を介して接着固定したとしても、所定温度領域における反射シートの熱膨張率の値（以下、Ｌ１と称する場合がある。）と、接着部材の熱膨張率の値（以下、Ｌ２と称する場合がある。）と、を実質的に等しくすることにより、反射シートと、導光板との間の位置ずれが少なくなって、結果として、表示ムラを少なくできることを見出し、本発明を完成させたものである。
すなわち、本発明は、簡易な手段によって、光源の点灯状態のような高温状態においても、さらには周囲の環境温度が変化したような場合であっても、表示ムラが少ない液晶装置及びそのような液晶装置に適した照明装置、及びそのような液晶装置を備えた電子機器をそれぞれ提供することを目的とする。
【課題を解決するための手段】
【０００７】
本発明によれば、液晶パネルと、当該液晶パネルに対して入射させる光を出射する光源と、当該光源に対向配置され、当該光源から出射された光を所定箇所に導くための導光板と、当該導光板の下方に、接着部材を介して配置された反射シートと、を備えた液晶装置であって、反射シートの熱膨張率の値（Ｌ１）と、接着部材の熱膨張率の値（Ｌ２）と、を実質的に等しくした液晶装置が提供され、上述した問題を解決することができる。
すなわち、少なくとも光源の点灯状態のような高温状態、例えば、８５℃付近において、反射シートの熱膨張率の値（Ｌ１）と、接着部材の熱膨張率の値（Ｌ２）と、が実質的に等しくなるように調整することにより、反射シートと、導光板との間の位置ずれが少なくなって、結果として、表示ムラが少ない液晶装置を提供することができる。
なお、反射シートの熱膨張率（Ｌ１）および接着部材の熱膨張率（Ｌ２）は、それぞれ所定温度範囲における線膨張率として、例えば、ＡＳＴＭ−Ｄ−６９６に準拠して測定することができる。
【０００８】
また、本発明の液晶装置を構成するにあたり、温度５０〜１００℃において、反射シートの熱膨張率の値（Ｌ１）と、接着部材の熱膨張率の値（Ｌ２）との差（Ｌ２−Ｌ１）を、５×１０-5／℃以下の値とすることが好ましい。
このように構成することにより、所定温度領域における接着部材の熱膨張率（８×１０-5／℃〜１×１０-4／℃程度）と、反射シートの熱膨張率（１×１０-5〜６×１０-5／℃程度）の差（Ｌ２−Ｌ１）を容易に調整することができ、結果として、反射シートと、導光板との間の位置ずれをさらに少なくすることができる。
【０００９】
また、本発明の液晶装置を構成するにあたり、接着部材が、反射シート側から、第１の接着剤層と、樹脂フィルム層と、第２の接着剤層と、を含む積層構造の両面粘着テープであることが好ましい。
このように接着部材においても樹脂フィルム層を含むことにより、接着部材の熱膨張率の値（Ｌ２）を、反射シートのその値（Ｌ１）に近付けることができる。その結果、反射シートと、導光板との間の位置ずれをさらに少なくすることができる。
【００１０】
また、本発明の液晶装置を構成するにあたり、接着部材の厚さを５〜１００μｍの範囲内の値とすることが好ましい。例えば、接着部材が、上述した積層構造の両面粘着テープの場合、第１の接着剤層と、樹脂フィルム層と、第２の接着剤層との合計厚さを５〜１００μｍの範囲内の値とすることが好ましい。
このように構成することにより、接着部材の厚さが比較的薄くなるので、熱膨張率の差（Ｌ２−Ｌ１）に基づく実質的な歪の大きさを小さくすることができる。
【００１１】
また、本発明の液晶装置を構成するにあたり、当該液晶装置は、少なくとも導光板及び反射シートを収容するための筐体をさらに有しており、接着部材が、反射シートの周囲の少なくとも２辺に沿ってライン状に配置されるとともに、反射シートと、導光板あるいは筐体とを接着していることが好ましい。
このように構成することにより、接着部材を非表示領域に設けることが容易になって、液晶装置における表示領域の面積を相対的に大きくすることができる。また、表示領域においては、反射シートと、導光板あるいは筐体との間に、所定空間が生成されるため、それを利用して、導光効率をさらに高めることができる。
【００１２】
また、本発明の液晶装置を構成するにあたり、接着部材が、接着剤と、熱膨張率を調整するための無機フィラーと、を含むことが好ましい。
このように構成することにより、接着部材における熱膨張率の値（Ｌ２）を調整しやすくなって、反射シートの熱膨張率の値（Ｌ１）に、さらに近づけることができる。その結果、反射シートと、導光板との間の位置ずれをさらに少なくすることができる。
【００１３】
また、本発明の別の態様は、光を出射する光源と、当該光源に対向配置され、当該光源から出射された光を所定箇所に導くための導光板と、当該導光板の下方に、接着部材を介して配置された反射シートと、を備えた照明装置であって、反射シートの熱膨張率の値（ＬＬ１）と、接着部材の熱膨張率の値（Ｌ２）と、を実質的に等しくした照明装置である。
すなわち、少なくとも光源の点灯状態のような高温状態、例えば、８５℃付近において、反射シートの熱膨張率の値（Ｌ１）と、接着部材の熱膨張率の値（Ｌ２）と、が実質的に等しくなるように調整した照明装置が提供されることにより、液晶パネルに用いた場合に、その下方に配置された導光板との間の位置ずれが少なくなって、結果として、表示ムラが少ない画像表示をすることができる。
【００１４】
また、本発明のさらに別の態様は、液晶パネルと、当該液晶パネルに対して入射させる光を出射する光源と、当該光源に対向配置され、当該光源から出射された光を所定箇所に導くための導光板と、当該導光板の下方に、接着部材を介して配置された反射シートと、を備えた液晶装置を含む電子機器であって、反射シートの熱膨張率の値（Ｌ１）と、接着部材の熱膨張率の値（Ｌ２）と、を実質的に等しくした電子機器である。
すなわち、少なくとも光源の点灯状態のような高温状態、例えば、８５℃付近において、反射シートの熱膨張率の値（Ｌ１）と、接着部材の熱膨張率の値（Ｌ２）と、が実質的に等しくした照明装置を備えた液晶装置が提供されることにより、それを表示手段として利用し、長時間の点灯使用や、周囲の環境温度の変化にかかわらず、表示ムラが少ない電子機器を提供することができる。
【発明を実施するための最良の形態】
【００１５】
以下、適宜図面を参照して、本発明の液晶装置、照明装置および電子機器に関する実施形態について具体的に説明する。ただし、かかる実施形態は、本発明の一態様を示すものであり、本発明を限定するものではなく、発明の目的の範囲内で任意に変更することが可能である。
【００１６】
［第１実施形態］
第１実施形態は、図１（ａ）〜（ｂ）に例示するように、液晶パネル１０と、当該液晶パネル１０に対して入射させる光を出射する光源１３と、当該光源１３に対向配置され、当該光源１３から出射された光を所定箇所に導くための導光板１５と、当該導光板１５の下方に、接着部材１４´を介して配置された反射シート１４と、を備えた液晶装置１であって、反射シート１４の熱膨張率の値（Ｌ１）と、接着部材１４´の熱膨張率の値（Ｌ２）と、を実質的に等しくした液晶装置１である。
また、図１（ａ）〜（ｂ）に例示するように、光を出射する光源１３と、当該光源１３に対向配置され、当該光源１３から出射された光を所定箇所に導くための導光板１５と、当該導光板１５の下方に、接着部材１４´を介して配置された反射シート１４と、を備えた照明装置１１であって、反射シート１４の熱膨張率の値と、接着部材１４´の熱膨張率の値と、を実質的に等しくした照明装置１１に関する態様についても、同様に、第１実施形態中で説明するものとする。
【００１７】
以下、図２や図３に示すような、ＴＦＴ素子（Thin Film Transistor）６９を備えたアクティブマトリクス型の液晶装置１を例に採って説明する。また、図１（ａ）に示す記号Ａで表される領域が、液晶装置１の表示領域である。
ただし、本発明は、ＴＦＴ素子を備えた液晶装置だけでなく、ＴＦＤ素子（Thin Film Diode）を備えたアクティブマトリクス型の液晶装置や、スイッチング素子を備えていないパッシブマトリクス型の液晶装置をはじめとして、種々の電気光学装置に適用することができる。
さらに、以下の説明中、液晶パネルとは、シール材で貼り合わせられた一対の基板の間に液晶材料が注入された状態を指し、当該液晶パネルに、フレキシブル回路基板や電子部品、光源等が取り付けられた状態を液晶装置とする。
【００１８】
１．基本的構成
まず、図１〜図３を参照して、液晶装置の基本的構成について説明する。
ここで、図２は、図１に示される液晶装置１に使用される液晶パネル１０の部分断面図を示し、図３は、液晶装置１に使用される液晶パネル１０の斜視図を示している。
図３に示すように、液晶パネル１０は、対向基板３０と、素子基板６０とが、それらの周辺部においてシール材２３によって貼り合わせられ、さらに、対向基板３０、素子基板６０及びシール材２３によって囲まれる間隙２１ａ内に液晶材料２１を封入して形成されている。
また、図３に示すように、液晶装置１０において、素子基板６０は、対向基板３０の外形よりも外側に張り出してなる基板張出部６０Ｔを有している。また、この基板張出部６０Ｔにおける、液晶材料２１を保持する面側には、外部接続用端子（図示せず）が形成されているとともに、当該外部接続用端子に対して、半導体素子９１やパネル駆動用フレキシブル回路基板（ＦＰＣ）１７が接続されている。
【００１９】
また、対向基板３０は、ガラスやプラスチック等によって形成されており、当該対向基板３０上には、カラーフィルタ、すなわち複数の着色層３７ｒ、３７ｇ、３７ｂと、それらの複数の着色層３７ｒ、３７ｇ、３７ｂ上に形成された対向電極３３と、その対向電極３３の上に形成された配向膜４５とを備えている。また、反射領域（Ｒ）における、着色層３７ｒ、３７ｇ、３７ｂと、対向電極３３との間には、リタデーションを最適化するための電気絶縁層４１を備えている。
ここで、対向電極３３は、インジウムスズ酸化物（ＩＴＯ）等によって、対向基板３０の表面全域に形成された面状電極である。また、複数の着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、複数の着色層３７ｒ、３７ｇ、３７ｂの隣であって、画素電極６３に対向しない位置に、ブラックマスク又はブラックマトリクス、すなわち遮光膜３９が設けられている。
【００２０】
また、対向基板３０に対向する素子基板６０は、同様に、ガラスやプラスチック等によって形成されており、当該素子基板６０上には、スイッチング素子として機能するアクティブ素子としてのＴＦＴ素子６９と、透明な有機絶縁膜８１を挟んで、ＴＦＴ素子６９に電気的に連なる上層位置に、画素電極６３を備えている。
ここで、画素電極６３は、反射領域Ｒにおいては反射表示を行うための光反射膜７９（６３ａ）を兼ねて形成されるとともに、透過領域（Ｔ）においては、ＩＴＯなどによって、透明電極６３ｂとして形成される。また、画素電極の一部としての光反射膜７９は、例えばＡｌ（アルミニウム）やＡｇ（銀）等といった光反射性材料によって形成されている。そして、画素電極６３の上には、ポリイミド系の高分子樹脂からなる配向膜８５が形成されるとともに、この配向膜８５に対して、配向処理としてのラビング処理が施されている。
【００２１】
また、対向基板３０の外側、すなわち、図２に示す対向基板３０の上側表面には、位相差板４７が設けられており、さらにその上に偏光板４９が設けられている。同様に、素子基板６０の外側、すなわち、図２に示す素子基板６０の下側表面には、位相差板８７と、偏光板８９とが、順次設けられている。さらに、図示しないものの、素子基板６０の下方には、照明装置としてのバックライトユニットが配置されている。
【００２２】
また、ＴＦＴ素子６９は、素子基板６０上に形成されたゲート電極７１と、このゲート電極７１の上方で、素子基板６０の全域に形成されたゲート絶縁膜７２と、このゲート絶縁膜７２を挟んでゲート電極７１の上方に形成された半導体層７０と、その半導体層７０の一方の側にコンタクト電極７７を介して形成されたソース電極７３と、さらに半導体層７０の他方の側にコンタクト電極７７を介して形成されたドレイン電極６６と、をそれぞれ有している。
また、ゲート電極７１は、ゲートバス配線（図示せず）から延びており、ソース電極７３は、ソースバス配線（図示せず）から延びている。また、ゲートバス配線は、素子基板６０の横方向に延びていて、縦方向へ等間隔で平行に複数本形成されている。同様に、ソースバス配線は、ゲート絶縁膜７２を挟んで、ゲートバス配線と交差するように縦方向へ延びていて、横方向へ等間隔で、平行に複数本形成されている。
かかるゲートバス配線は、液晶駆動用ＩＣ（図示せず）に接続されて、例えば走査線として作用し、他方、ソースバス配線は、他の駆動用ＩＣ（図示せず）に接続されて、例えば信号線として作用する。
また、画素電極６３は、互いに交差するゲートバス配線と、ソースバス配線とによって区画される方形領域のうち、ＴＦＴ素子６９に対応する部分を除いた領域に形成されている。
【００２３】
また、ゲートバス配線及びゲート電極は、例えば、クロムやタンタル等によって形成されている。また、ゲート絶縁膜は、例えば、窒化シリコン（ＳｉＮｘ）や酸化シリコン（ＳｉＯｘ）等によって形成されている。
また、半導体層は、例えば、ドープトａ−Ｓｉ、多結晶シリコン、およびＣｄＳｅ等によって形成されている。
さらに、コンタクト電極は、例えば、ａ−Ｓｉ等によって形成することができ、ソース電極及びそれと一体をなすソースバス配線並びにドレイン電極は、例えば、チタン、モリブデン、アルミニウム等によって形成されている。
【００２４】
また、有機絶縁膜８１は、ゲートバス配線、ソースバス配線及びＴＦＴ素子を覆って素子基板６０上の全域に形成されている。
但し、有機絶縁膜８１のドレイン電極６６に対応する部分にはコンタクトホール８３が形成され、このコンタクトホール８３の箇所で、画素電極６３と、ＴＦＴ素子６９のドレイン電極６６と、の間の電気的接続がとられている。
また、かかる有機絶縁膜８１には、反射領域（Ｒ）に対応した領域に、散乱形状であって、山部と谷部との規則的な又は不規則的な繰り返しパターンから成る凹凸パターンを有する樹脂膜が形成されている。この結果、有機絶縁膜８１の上に積層される光反射膜７９（６３ａ）も同様にして、凹凸パターンから成る光反射パターンを構成することになる。但し、この光反射のための凹凸パターンは、光透過量が低下してしまうため、透過領域（Ｔ）には形成されていない。
【００２５】
以上のような構造を有する液晶パネル１０を備えた液晶装置１において、反射表示の際には、太陽光や室内照明光などの外光が、対向基板３０側から入射すると、着色層３７ｒ、３７ｇ、３７ｂや液晶材料２１などを通過して光反射膜７９に至り、そこで反射されて再度液晶材料２１や着色層３７ｒ、３７ｇ、３７ｂなどを通過する。したがって、対向基板３０側から外部へ出射されることにより、液晶装置１における反射表示が行われる。
一方、透過表示の際には、照明装置としてのバックライトユニットが点灯されるとともに、バックライトユニットから出射された光は、透光性の透明電極６３ｂを通過し、着色層３７ｒ、３７ｇ、３７ｂ、液晶材料２１などをさらに通過して、液晶装置１０の外部へ出射される。したがって、このようにして、液晶装置１における透過表示が行われる。
【００２６】
２．照明装置
（１）基本構成
照明装置は、液晶パネルに対して入射させる光を出射するための部位であり、上述したように、バックライトユニットと称される場合がある。
かかる照明装置１１の基本的構成について、図１（ａ）〜（ｂ）および図４（ａ）〜（ｂ）を適宜参照しながら説明する。
図１（ｂ）に示す照明装置１１は、液晶パネル１０に対して入射させる光を出射する光源１３と、当該光源１３が実装された光源用回路基板（光源用ＦＰＣ）１７と、光源１３から出射された光を液晶パネル１０に導くための導光板１５と、導光板１５に導入された光をさらに効率的かつ指向性をもって液晶パネル１０に対して入射させるための反射シート１４と、を備えている。
そして、かかる照明装置１１において、反射シート１４の熱膨張率の値と、反射シート１４および導光板１５を相互に接着する接着部材１４´の熱膨張率の値とが、例えば、光源の点灯時のような高温状態において、実質的に等しくなるように調整してある。
【００２７】
ここで、照明装置１１に使用される光源１３としては、消費電力が少なく、小型化が容易であることより、発光ダイオード（ＬＥＤ）が一般的である。但し、用途によっては、蛍光管等の他の公知の光源も用いることができる。
また、光源１３が実装される光源用ＦＰＣ１７は、図４（ａ）〜（ｂ）に示すように、例えば、ポリイミド樹脂等の可撓性材料から構成したフレキシブル回路基板である。その一方の端部に、複数の光源１３が配列して、実装されているとともに、他方の端部には、上述のパネル駆動用ＦＰＣ上のコネクタ等と接続される端子１７ｂを備えている。そして、これらの光源１３と、端子１７ｂとの間は、配線パターン１７ａによって、電気的に接続されている。
また、光源用ＦＰＣ１７の平面形状の一例として、図４（ｂ）に示すように、斜め配線部１７ａ´を設けて、位置合わせや使い勝手を向上させることができる。また、図示しないものの、光源用ＦＰＣ１７における配線パターン１７ａの表面は、ショート発生防止や耐久性向上のために、通常、電気絶縁性材料によって被覆されている。
そして、図４（ａ）に示すように、光源１３が光源用ＦＰＣ１７に実装された状態で、導光板１５の一辺側の所定位置に配置されるとともに、その所定位置が動かないように、光源用ＦＰＣ１７は、周囲の筐体１０２や、あるいは導光板１５に対して、それらの段差を利用して、接着剤１０２ｃによって固定されている。
なお、図１（ｂ）に示す光源１３の場合には、その下面において、接着剤１３´を介して、光源用ＦＰＣ１７に実装されている。
【００２８】
（２）導光板
また、図１（ａ）〜（ｂ）に示す導光板１５は、光源１３から出射された光を所定箇所に導くための部材であって、通常、透光性のアクリル樹脂やポリカーボネート樹脂等からなる平板状の部材である。したがって、かかる導光板１５は、液晶パネル１０の背面側に位置し、さらに、導光板１５の背面側には、図１（ｂ）に示すように反射シート１４を備えている。
ここで、図５に示すように、かかる導光板１５は、液晶パネル側に所定のプリズムを有するプリズム導光体であることが好ましい。すなわち、このようなプリズム導光体であれば、光入射面から入射してくる光を、このプリズム導光体の表面へと均等に屈折および反射させることができるためである。
なお、面内輝度の均一化や輝度の向上をさらに図るために、図５に示すように、下方から複数のプリズム導光体１５ａ、１５ｂを重ねて配置しても良い。その場合、光の指向性がさらに向上することから、図５に示すように、二枚のプリズム導光体１５ａ、１５ｂのプリズムの溝方向を、直交させることがさらに好ましい。
さらに、同様の理由から、導光体の表面側、すなわち、導光体と、液晶パネルとの間に、集光シートや拡散シートをそれぞれ配置することも好ましい。
【００２９】
（３）反射シート
また、反射シート１４は、図６（ａ）〜（ｂ）に示すように、基本的に、基材シート（表面樹脂フィルムと称する場合がある）１４ａと、光反射層１４ｃ、１４ｈと、を含む多層構造が採用されている。
具体的に、図６（ａ）に示す反射シート１４は、下方から、裏面樹脂フィルム１４ｇ、白色塗膜層１４ｆ、接着層１４ｅ、トップコート層１４ｄ、光反射層１４ｃ、アンカーコート層１４ｂ、表面樹脂フィルム１４ａと、から構成してある。
同様に、図６（ｂ）に示す反射シート１４は、複数の光反射層１４ｃ、１４ｈを備えた例であって、下方から、白色塗膜層１４ｆ、裏面樹脂フィルム１４ｇ、第２の光反射層１４ｈ、接着層１４ｅ、トップコート層１４ｄ、光反射層（第１の光反射層）１４ｃ、アンカーコート層１４ｂ、表面樹脂フィルム１４ａと、から構成してある。
ここで、基材シート１４ａは、光反射層１４ｃ等を含む反射シート１４の全体的な支持体も兼ねていて、その材質については特に制限されるものではないが、例えば、樹脂フィルム（樹脂シートを含む）、金属板、金属箔、板紙、グラシン紙、織布、編布、不織布、等から構成してあることが好ましい。
また、基材シート１４ａを構成する際に、所定の可撓性があって、加工性が良好なことから、熱可塑性樹脂からなるフィルムやシートを使用することがより好ましい。
このような熱可塑性樹脂としては、例えば、ポリオレフィン系樹脂、ポリエステル系樹脂、ポリアミド系樹脂、アクリル系樹脂、スチレン系樹脂、ビニル系樹脂等の一種または二種以上の組み合わせが挙げられる。
なお、かかる基材シートの厚さとしては、１〜２００μｍの範囲内の値とすることが好ましく、５〜１００μｍの範囲内の値とすることがより好ましく、１０〜５０μｍの範囲内の値とすることがさらに好ましい。
【００３０】
また、光反射層１４ｃ、１４ｈとしては、アルミニウム、アルミニウム合金、銀、銀合金、ステンレス、ニッケル等の光反射率に優れた金属材料から構成することができる。より具体的には、ＪＩＳ−Ｒ−３１０６に準じて測定される可視光反射率を９０％以上の値とすることが好ましく、９５％以上の値とすることがより好ましい。
また、これらの金属材料からなる粒子と、樹脂との混合材料からシートを形成し、それを光反射層１４ｃ、１４ｈとして構成することもできる。
さらに、光反射層１４ｃ、１４ｈの厚さとしては、０．０１〜２０μｍの範囲内の値とすることが好ましく、０．０５〜１０μｍの範囲内の値とすることがより好ましく、０．１〜５μｍの範囲内の値とすることがさらに好ましい。
なお、図示しないものの、反射シートにおいて、面内輝度の均一化や輝度の向上をさらに図るために、光反射層の表面等に、光拡散層を設けたりすることも好ましい。
【００３１】
（４）接着部材
接着部材１４´としては、厚さが均一となることから、図１（ｂ）等に示すように、フィルム状接着剤が好適に用いられる。
具体的には、アクリル系接着剤、ポリエステル系接着剤、ゴム系接着剤、ウレタン系接着剤、エポキシ系接着剤、シリコーン系接着剤、フェノール系接着剤等の一種または二種以上の組み合わせからなるフィルム状接着剤が挙げられる。
そして、上述したように、当該接着部材の熱膨張率の値と、反射シートの熱膨張率の値と、が実質的に等しくなるように調整してある。すなわち、少なくとも光源の点灯状態のような高温条件、例えば、８５℃付近において、反射シートの熱膨張率の値と、接着部材の熱膨張率の値と、が実質的に等しくなるように調整することにより、反射シートと、導光板との間の位置ずれが少なくなって、結果として、表示ムラが少ない液晶装置を提供することができる。
また、図７に示すように、接着部材１４´が、下方から、第１の接着剤層１４ｃ´と、樹脂フィルム層１４ｂ´と、第２の接着剤層１４ａ´と、を含む積層構造の両面粘着テープであることが好ましい。
この理由は、このように樹脂フィルム層１４ｂ´を中間層として含むことにより、接着部材１４の熱膨張率の値を、反射シート１４の値により近付けることができるためである。したがって、このような積層構造の両面粘着テープを用いることにより、反射シートと、導光板との間の位置ずれをさらに少なくすることができる。
なお、図７に示す接着部材１４´は、使用前の態様として、剥離フィルム１４ｄ´が貼り付けて示してある。
【００３２】
また、反射シートの熱膨張率の値と、接着部材の熱膨張率の値とを調整するにあたり、温度５０〜１００℃において、反射シートの熱膨張率の値と、接着部材の熱膨張率の値との差が、５×１０-5／℃以下の値となるように調整することが好ましい。
この理由は、温度５０〜１００℃において、これらの差を５×１０-5／℃以下の値とすることにより、光源の点灯状態のような高温条件において、反射シートと、導光板との間の位置ずれをさらに少なくすることができるためである。すなわち、光源の点灯状態のような高温の温度領域において、所定値以下の値とすることにより、確実に、これらの間の位置ずれを少なくすることができる。
なお、温度５０〜１００℃において、接着部材（アクリル系接着剤やポリエステル系接着剤等）の熱膨張率は、通常、８×１０-5／℃〜１×１０-4／℃程度であるのに対して、反射シートの熱膨張率は、通常、１×１０-5〜６×１０-5／℃程度であることから、接着部材の熱膨張率を小さくするように調整することがより好ましい。
【００３３】
ここで、図８を参照して、反射シートと、導光板との間の位置ずれに対する、反射シートの熱膨張率の値と、接着部材の熱膨張率の値との差の影響を説明する。
図８の横軸には、温度（℃）が採って示してあり、縦軸には、熱膨張率（相対値）が採って示してある。そして、図８中のラインＡは、ＰＥＴフィルム（厚さ：２５μｍ）に対応したものであり、ラインＢは、アクリル系粘着剤（ガラス転移点：−３０℃以下）に対応したものであり、ラインＢ´は、ラインＢのアクリル系粘着剤中に、無機フィラーとして酸化チタンを所定量添加したアクリル系粘着剤に対応したものである。
これらのラインＡ、Ｂ、Ｂ´の変化特性から明らかなように、アクリル系粘着剤に、無機フィラーを添加することにより、ＰＥＴフィルムの熱膨張率（相対値）に近つけられることが理解できる。
【００３４】
より具体的には、ラインＢが示すように、無機フィラーを添加しないアクリル系粘着剤においては、室温付近から熱膨張率の値が急激に増加してしまい、温度５０〜１００℃の高温状態では、ラインＡが示すＰＥＴフィルムの熱膨張率の値との差が顕著に大きくなっている。それに対して、無機フィラーを所定量添加することにより、ラインＢ´が示すように、熱膨張率（相対値）の値が調整されて、温度５０〜１００℃においても、ＰＥＴフィルムの熱膨張率（相対値）の値との差が小さくなって、実質的に等しいレベルとなっている。
すなわち、光源の点灯状態のような高温状態、例えば、８５℃付近において、反射シートの熱膨張率の値と、接着部材の熱膨張率の値と、が実質的に等しくなるように調整することにより、接着部材を介して接着される導光板との間の位置ずれが少なくなって、さらには、環境温度の変化にかかわらず、表示ムラが少ない液晶装置等を提供することができる。
【００３５】
また、接着部材の厚さを５〜１００μｍの範囲内の値とすることが好ましい。例えば、積層構造の両面粘着テープの場合、第１の接着剤層と、樹脂フィルム層と、第２の接着剤層との合計厚さを５〜１００μｍの範囲内の値とすることが好ましい。
この理由は、かかる接着部材の厚さが５μｍ未満となると、反射シートと、導光板との間の接着性や固定性が不十分となって、液晶装置等の機械的特性や耐久性が著しく低下する場合があるためである。一方、かかる接着部材の厚さが１００μｍを超えると、反射シートの熱膨張率の値と、接着部材の熱膨張率の値と、が近い場合であって、実際にずれる距離が大きくなって、表示ムラが大きくなる場合があるためである。
すなわち、接着部材の厚さがこのような範囲であれば、接着性も良好で、かつ比較的薄くなるので、液晶装置等の機械的特性等と、実質的な膨張長さ等とのバランスを良好なものとすることができる。
したがって、このような液晶装置等の機械的特性等と、実質的な膨張長さ等とのバランスがさらに良好となるため、８〜５０μｍの範囲内の値とすることがより好ましく、１０〜３０μｍの範囲内の値とすることがさらに好ましい。
【００３６】
また、図９（ｂ）に示すように、接着部材１４´が、反射シート１４あるいは導光板１５の周囲の少なくとも２辺に沿ってライン状に配置されるとともに、反射シート１４と、筐体１０２あるいは導光板１５とを接着していることが好ましい。
この理由は、このように構成すると、接着部材１４´を、図９（ａ）に示す表示領域（Ａ）以外の非表示領域に設けることが容易になって、液晶装置における表示領域（Ａ）の面積を相対的に大きくすることができるためである。また、このように構成すると、表示領域における反射シート１４と、導光板１５あるいは筐体１０２との間に、所定空間が生成されるため、それを利用して、導光効率をさらに高めることができるためである。
なお、接着部材１４´をライン状に配置する場合、図９（ａ）に示す表示領域（Ａ）の大きさにもよるが、通常、その幅を０．１〜１０ｍｍの範囲内の値とすることが好ましい。
また、接着部材１４´を辺に沿って、必ずしも一列に配置する必要はなく、二列以上に配置しても良い。
一方、図９（ｂ）に示すように、接着部材１４´が、導光板１５と、筐体１０２とにまたがって配置されることが好ましい。
この理由は、このように構成することにより、筐体１０２に対して、導光板１５および反射シート１４を、同時に接着して、固定することが可能になるためである。
【００３７】
また、図１０（ａ）に示すように、接着部材１４´が、接着剤１４ｆ´と、熱膨張率を調整するための無機フィラー１４ｅ´と、を含むことが好ましい。
この理由は、このように構成することにより、接着部材における熱膨張率を調整しやすくなって、反射シートの熱膨張率の値に、さらに近づけることができるためである。したがって、図８中のラインＢ´が示すように、熱膨張率（相対値）の値が調整されて、例えば、光源の点灯状態（温度８５℃付近）においても、ＰＥＴフィルムの熱膨張率の値との差が小さくなって、反射シートと、導光板との間の位置ずれを少なくすることができる。
なお、無機フィラーを添加する場合、当該無機フィラーの添加量を、接着部材を構成する接着剤１００重量部に対して、０．１〜５０重量部の範囲内の値とすることが好ましく、１〜３０重量部の範囲内の値とすることがより好ましい。
【００３８】
また、図１０（ｂ）に示すように、熱膨張率が異なり、かつ平均粒径が異なる二種類以上の無機フィラー１４ｅ´、１４ｇ´を混合添加することも好ましい。
この理由は、このように熱膨張率等が異な二種類以上の無機フィラー１４ｅ´、１４ｇ´を含むことにより、接着部材１４´における熱膨張率をさらに調整しやすくなるためである。
例えば、一種類の無機フィラーで、比較的低温（例えば、５０〜８０℃未満）の接着部材における熱膨張率を調整し、もう一種類の無機フィラーで、比較的高温（例えば、８０〜１００℃）の接着部材における熱膨張率を調整することができる。
また、同一種類の無機フィラーを多量に添加すると、接着性が著しく低下する場合があるが、このように二種類以上の無機フィラー１４ｅ´、１４ｇ´を含むことにより、その接着性の低下を抑制しやすいためである。
なお、二種類の無機フィラーを混合添加する場合、当該無機フィラーの添加比率を、重量比で、１０：９０〜９０：１０の範囲内の値とすることが好ましく、２０：８０〜８０：２０の範囲内の値とすることがより好ましく、３０：７０〜７０：３０の範囲内の値とすることがさらに好ましい。
【００３９】
さらに、図１０（ｃ）に示すように、接着部材１４´が、接着剤１４ｆ´と、熱膨張率を調整するための繊維（無機繊維や有機繊維）１４ｈ´を含むことも好ましい。
この理由は、このような無機繊維や有機繊維を添加することにより、膨張率に異方性をもたせやすくなって、接着部材における横方向あるいは縦方向の熱膨張率を、任意に調整しやすくなるためである。
また、このような無機繊維や有機繊維とともに、上述した一種または二種類以上の無機フィラーを含むことも好ましい。
さらに、このような無機繊維等を添加する場合、当該無機繊維等の添加量を、接着部材を構成する接着剤１００重量部に対して、０．１〜５０重量部の範囲内の値とすることが好ましく、１〜３０重量部の範囲内の値とすることがより好ましい。
【００４０】
３．フレキシブル回路基板
図１（ａ）に示すように、フレキシブル回路基板１７は、液晶パネル１０の駆動用素子９１等に電力を供給するためのものであって、少スペース化や配線の引き回しのために、反転させた状態で、折り返して電気接続されている。
ここで、かかるフレキシブル回路基板１７は、各種形態をとることができるが、典型的には、ポリイミド樹脂等からなる電気絶縁性基板の上に、銅等の金属からなる電気配線１７Ａが形成してある複合材料である。
また、図示しないものの、フレキシブル回路基板１７の端部は、通常、液晶装置の電源等に対して、電気接続されている。
【００４１】
４．筐体
また、図９や図１１に示すように、筐体１０２は、少なくとも液晶パネル１０を収容するための部材であって、液晶パネル１０の形状に併せて、各種形態をとることができる。
また、通常、筐体１０２は、液晶パネル１０のみならず、上述した照明装置１１や、フレキシブル回路基板１７の一部等も収容することになる。
そして、図１１に示すように、筐体１０２に対して、液晶パネル１０を固定するために、筐体１０２の周囲において、画像表示箇所を除いて、枠状の接着部材としての遮光両面テープ１００が配置され、それによって、筐体１０２の縁部１０２ａと、液晶パネル１０の周囲とが、接着されて、固定されることになる。
【００４２】
ここで、液晶パネルの大きさは変えずに、表示面積のみを可能な限り大きくすることが好ましく、そのため、筐体の縁部をそれに合わせて、例えば、３ｍｍ以下の幅、より好ましくは、２ｍｍ以下の幅に狭くかつ小さくすることが好ましい。
したがって、液晶パネルを固定するに際して、遮光両面接着テープの幅や面積を大きくしたり、あるいは種類を変えて接着性を高めたりして、液晶パネルと、筐体の縁部等との間の接着力を向上させることも考えられるが、実情に合致せず、また、遮光両面接着テープのリペア性にも劣ることになる。
なお、遮光両面テープは、アクリル系粘着剤、ウレタン系粘着剤、ゴム系粘着剤、ポリエステル系粘着剤等の粘着樹脂中に、カーボンブラックや黒色顔料、あるいは金属粉やフィラー等が所定量添加された構成となっている。
【００４３】
［第２実施形態］
本発明の第２実施形態は、第１実施形態の液晶装置を備えた電子機器である。
ここで、図１２は、本実施形態の電子機器の全体構成を示す概略構成図である。この電子機器は、液晶パネル２００と、これを制御するための制御手段１２００とを有している。また、図１２中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
【００４４】
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
そして、本実施形態の電子機器であれば、所定温度における反射シートの熱膨張率の値と、導光板に固定するための接着部材の熱膨張率の値と、を実質的に等しくしてあることにより、光源と、導光板との間の位置ずれが少なくなって、特に点灯状態における輝度の低下や輝度ムラの発生を少なくした電子機器とすることができる。
【産業上の利用可能性】
【００４５】
本発明によれば、光源の点灯状態のような高温状態においても、さらには周囲の環境温度が変化したような場合であっても、反射シートの熱膨張率の値（Ｌ１）と、それを導光板に固定するための接着部材の熱膨張率の値（Ｌ２）と、を実質的に等しくすることにより、反射シートと、導光板との間の位置ずれが少なくなって、結果として、表示ムラが少ない液晶装置及びそのような液晶装置に適した照明装置、及びそのような液晶装置を備えた電子機器を提供することができる。
したがって、ＴＦＴ素子を備えた液晶装置等の電気光学装置や電子機器、例えば、携帯電話機やパーソナルコンピュータ等をはじめとして、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器、電子放出素子を備えた装置（ＦＥＤ:Field Emission DisplayやＳＣＥＥＤ：Surface-Conduction Electron-Emitter Display）などに幅広く適用することができる。
【図面の簡単な説明】
【００４６】
【図１】（ａ）〜（ｂ）は、液晶パネルと、照明装置と、を含む液晶装置を説明するために供する図である。
【図２】液晶装置における液晶パネルの断面図である。
【図３】液晶装置における液晶パネルの斜視図である。
【図４】（ａ）〜（ｂ）は、光源の断面図及び光源用回路基板の平面図である。
【図５】プリズム導光板を備えた照明装置を説明するために供する図である。
【図６】（ａ）〜（ｂ）は、反射シートを説明するために供する図である。
【図７】接着部材を説明するために供する図である。
【図８】接着部材の熱膨張率の温度変化を説明するために供する図である。
【図９】（ａ）〜（ｃ）は、接着部材の貼り付け位置を説明するために供する図である。
【図１０】（ａ）〜（ｃ）は、接着部材の態様を説明するために供する図である。
【図１１】（ａ）〜（ｂ）は、液晶装置の組み立て状態を説明するために供する図である。
【図１２】電子機器における構成ブロックを示す概略構成図である。
【図１３】従来の液晶装置の構成を説明するために供する図である。
【図１４】従来のバックライトユニットを説明するために供する図である。
【符号の説明】
【００４７】
１：液晶装置、１０：液晶パネル、１１：照明装置、１３：光源、１４：反射シート、１４´：接着部材、１５：導光板、１７：光源用回路基板（光源用ＦＰＣ）、３０：対向基板（カラーフィルタ基板）、４９：偏光板、６０：素子基板、６０Ｔ：基板張出部、１００：遮光両面テープ、１０２：筐体
【図１】
2008009038.tif 000003
【図２】
2008009038.tif 000004
【図３】
2008009038.tif 000005
【図４】
2008009038.tif 000006
【図５】
2008009038.tif 000007
【図６】
2008009038.tif 000008
【図７】
2008009038.tif 000009
【図８】
2008009038.tif 000010
【図９】
2008009038.tif 000011
【図１０】
2008009038.tif 000012
【図１１】
2008009038.tif 000013
【図１２】
2008009038.tif 000014
【図１３】
2008009038.tif 000015
【図１４】
2008009038.tif 000016